(57)【要約】【課題】解決すべき課題は、ブロー成形によって形成される熱可塑性樹脂成形体の片側の面にのみ成形と同時に表皮を貼付する方法では、反対側の面に成形と同時には表皮が貼付できずコスト高な後貼りをせざるを得ないので、安価に見栄えを良くする事が出来ないという点である。【解決手段】ブロー成形により中央中空部と端部中空部とヒンジ部が一体に形成されており、前記中央中空部と前記端部中空部は表壁と前記表壁と間隔をおいて対向する裏壁を有していて、前記表壁と前記裏壁の周縁部が端壁またはヒンジ部で閉塞されており、前記ヒンジ部が前記中央中空部と、前記端部中央部とを連結した成形品に成形と同時に表皮を貼付することにより前記課題を解決した。【選択図】図４
2015174371.tif 000002
【特許請求の範囲】
【請求項１】
ブロー成形によって形成された熱可塑性樹脂成形体であって、中央中空部と少なくとも一つ以上の端部中空部と少なくとも一つ以上のヒンジ部が一体に形成されており、前記中央中空部と前記端部中空部は表壁と、前記表壁と間隔をおいて対向する裏壁を有していて、前記表壁と前記裏壁の周縁部がヒンジ部または端壁で閉塞されており、前記ヒンジ部は前記中央中空部と、前記端部中空部とを前記表壁側で連結しており、前記中央中空部及び前記端部中空部の前記裏壁のみに表皮が貼付されている事を特徴とする熱可塑性樹脂成形体。
【請求項２】
請求項１における熱可塑性樹脂成形体の端部中空部を、ヒンジ部を支点として表壁側（矢印Ｇ方向）にほぼ１８０度回転させ、中央中空部に対して前記表壁同士を重ね合わせることで前記端部中空部、前記中央中空部ともに表皮によって外表面がほぼ覆われていることを特徴とする請求項１記載の熱可塑性樹脂成形体。
【請求項３】
請求項１ないし請求項２における熱可塑性樹脂成形体の表壁に凹状リブが形成されている事を特徴とする請求項１ないし請求項２記載の熱可塑性樹脂成形体。
【請求項４】
請求項１ないし請求項３における表皮の端部が木目込み工法によって処理されている事を特徴とする請求項１ないし請求項３に記載の熱可塑性樹脂成形体。
【請求項５】
請求項１ないし請求項４における熱可塑性樹脂成形体のヒンジ部が２つ以上形成されている事を特徴とする請求項１ないし請求項４に記載の熱可塑性樹脂成形体。
【発明の詳細な説明】
【技術分野】
【０００１】
本発明は、ブロー成形による熱可塑性樹脂成形体に関する。
【背景技術】
【０００２】
熱可塑性樹脂成形体に関する従来技術としては特許文献１に開示されているようなものがある。
【０００３】
しかし、熱可塑性樹脂成形体の場合、外観の見栄えを良くする為、表面に表皮を貼付する事があるが、
特許文献１に開示されているような片側の面にのみ成形と同時に表皮を貼付する方法では、反対側の面に成形と同時には表皮が貼付できずコスト高な後貼りをせざるを得ないので、安価に見栄えを良くする事が出来ないという欠点があった。
【０００４】
以下、図によってより詳しく説明する。
【０００５】
図１は、従来の表皮付きパネルの断面斜視図である。
１は、パネルである。
２は、表皮である。
【０００６】
特許文献１には、図１のように前記表皮２があるが、前記パネル１の片側の面にのみ成形と同時に貼付されているが、反対側の面にはインナーリブのスライド機構が邪魔しているため成形と同時には貼付されていない。
【先行技術文献】
【特許文献】
【０００７】
【特許文献１】特許第３７９１９２４号
【特許文献２】特開２００８−１２８７１
【発明の概要】
【発明が解決しようとする課題】
【０００８】
解決しようとする課題は、特許文献１に開示されているような片側の面にのみ成形と同時に表皮を貼付する方法では、反対側の面に成形と同時には表皮が貼付できずコスト高な後貼りをせざるを得ないので、安価に見栄えを良くする事が出来ないという点である。本発明は上記の点を解決するためになされた。
【課題を解決するための手段】
【０００９】
ブロー成形によって形成された熱可塑性樹脂成形体であって、中央中空部と少なくとも一つ以上の端部中空部と少なくとも一つ以上のヒンジ部が一体に形成されており、前記中央中空部と前記端部中空部は表壁と、前記表壁と間隔をおいて対向する裏壁を有していて、前記表壁と前記裏壁の周縁部がヒンジ部または端壁で閉塞されており、前記ヒンジ部は前記中央中空部と、前記端部中空部とを前記表壁側で連結しており、前記中央中空部及び前記端部中空部の前記裏壁のみに表皮が貼付されている事を最も主要な特徴とする。
また、前記端部中空部を、前記ヒンジ部を支点として前記表壁側（矢印Ｇ方向）にほぼ１８０度回転させ、前記中央中空部に対して前記表壁同士を重ね合わせることで前記端部中空部、前記中央中空部ともに前記表皮によって外表面がほぼ覆われている事を第２の主要な特徴とする。
【００１０】
また、熱可塑性樹脂成形体の表壁に凹状リブが形成されている事を第３の主要な特徴とする。
【００１１】
また、表皮の端部が木目込み工法によって処理されている事を第４の主要な特徴とする。
【００１２】
また、熱可塑性樹脂成形体のヒンジ部が２つ以上形成されている事を第５の主要な特徴とする。
【発明の効果】
【００１３】
本発明によれば、ブロー成形による熱可塑性樹脂成形体であって、
ブロー成形により中央中空部と端部中空部とヒンジ部が一体に形成されており、前記中央中空部と前記端部中空部は表壁と、前記表壁と間隔をおいて対向する裏壁を有していて、前記表壁と前記裏壁の周縁部が端壁またはヒンジ部で閉塞されており、前記ヒンジ部は前記中央中空部と、前記端部中央部を連結しており、前記中央中空部と前記端部中空部の前記裏壁のみに表皮が貼付されている事で安価に見栄えが良くなるという利点がある。
【図面の簡単な説明】
【００１４】
【図１】従来の表皮付きパネルの断面斜視図
【図２】本発明に係るラゲッジフロアの斜視図
【図３】本発明に係るラゲッジフロアのブロー成形態様を示す図
【図４】ヒンジ部で折りたたむ途中のラゲッジフロアの斜視図
【図５】ヒンジ部で折りたたんだ後のラゲッジフロアの斜視図
【発明を実施するための形態】
【００１５】
ほぼ全面に表皮が貼付された、見栄えのいい成形品を安価に提供するという目的を、
ブロー成形により中央中空部と端部中空部とヒンジ部が一体に形成されており、前記中央中空部と前記端部中空部は表壁と前記表壁と間隔をおいて対向する裏壁を有していて、前記表壁と前記裏壁の周縁部が端壁またはヒンジ部で閉塞されており、前記ヒンジ部が前記中央中空部と、前記端部中央部とを連結した成形品に成形と同時に表皮を貼付することによって、
ブロー成形という安価な工法を用いて、経済性を損なわずに実現した。
【実施例１】
【００１６】
本発明の構成を発明の実施の形態に基づいて説明すると次の通りである。尚、従来例と同一の符号は同一の部材を表す。
【００１７】
図２は、本発明に係るラゲッジフロア３の斜視図である。
前記ラゲッジフロア３は、ブロー成形によって一体に形成されており、表皮２と中央中空部４と端部中空部５，５’とヒンジ部６，６’で構成されている。
前記表皮２は、外方向に向けて起毛状態の毛羽を有している不織布である。
【００１８】
前記中央中空部４は表壁Ａと、前記表壁Ａと間隔をおいて対向する裏壁Ｂを有しており、前記表壁Ａと前記裏壁Ｂの周縁部が端壁Ｃで閉塞されている。
前記端部中空部５は表壁Ｄと、前記表壁Ｄと間隔をおいて対向する裏壁Ｅを有しており、前記表壁Ｄと前記裏壁Ｅの周縁部が端壁Ｆで閉塞されている。
前記端部中空部５’は表壁Ｄ’と、前記表壁Ｄ’と間隔をおいて対向する裏壁Ｅ’を有しており、前記表壁Ｄ’と前記裏壁Ｅ’の周縁部が端壁Ｆ’で閉塞されている。
前記ヒンジ部６は、前記端部中空部５と前記中央中空部４を前記表壁Ａ，Ｄ側で連結している。
前記ヒンジ部６’は、前記端部中空部５’と前記中央中空部４を前記表壁Ａ，Ｄ’側で連結している。
前記表壁Ａと前記表壁Ｄ，Ｄ’には強度を上げる為に、凹状リブ７が形成されている。
前記凹状リブ７は、前記表壁Ａの一部を前記裏壁Ｂに向けて突出させて前記裏壁Ｂに溶着させた円形の窪みであり、また、同様に前記表壁Ｄ，Ｄ’の一部を前記裏壁Ｅ，Ｅ’に向けてそれぞれ突出させて前記裏壁Ｅ，Ｅ’に溶着させた円形の窪みである。
前記表皮２は、前記裏壁Ｂと前記裏壁Ｅ，Ｅ’のほぼ全域の表面に貼付されているが、前記表壁Ａと前記表壁Ｄ，Ｄ’ の表面には表皮は貼付されていない。
【００１９】
図３は、前記ラゲッジフロア３のブロー成形態様を示す図である。
８はブロー成形機（図示せず）の押出しヘッド、９は熱可塑性樹脂のパリソン、１０と１０’は分割金型、１１と１１’はキャビティ面である。前記ラゲッジフロア３は図３に示すようなブロー成形によって形成される。
【００２０】
本発明の前記ラゲッジフロア３の製造方法を説明する。前記表皮２を毛羽が前記キャビティ面１１’側に向くように配置した後、前記ラゲッジフロア３用の前記分割金型１０，１０’内に半溶融状態にあるポリプロピレン等の熱可塑性樹脂の前記パリソン９を垂下させ前記分割金型１０，１０’を型締めする。
尚、前記パリソン９に適用される熱可塑性樹脂としてはポリプロピレンに限らず、ポリエチレンや他のポリオレフィン系樹脂、ポリエチレンテレフタレートやポリブチレンテレフタレート、ポリエチレンナフタレート等のポリエステル系樹脂、ポリアミド系樹脂、ポリアセタール系樹脂、シンジオタクチックポリスチレン、ポリスチレン、ゴム改質ポリスチレン、アクリロニトリル−スチレン共重合体、アクリロニトリル−ブタジエン−スチレン共重合体、変性ポリフェニレンオキサイド、ポリフェニレンサルファイド、ポリカーボネート等、ブロー成形が可能な樹脂であれば何でも良い。また、前記熱可塑性樹脂にガラス繊維、炭素繊維、ボロン繊維、硫酸カルシウム粉末、炭酸カルシウム粉末等を混錬させた複合材であってもよい。
【００２１】
その後、前記パリソン９内に圧縮空気を吹き込んでブローアップし離型してバリを除去し、前記ラゲッジフロア３のブロー成形を完了させる。
【００２２】
図４は、図２の矢印Ｇ，Ｇ’の方向に前記端部中空部５，５’を、前記ヒンジ部６，６’を支点としてそれぞれ折りたたむ途中の前記ラゲッジフロア３の斜視図である。
【００２３】
図５は、図２の矢印Ｇ，Ｇ’の方向に前記端部中空部５，５’を、前記ヒンジ部６，６’を支点としてそれぞれ折りたたんだ後の前記ラゲッジフロア３の斜視図である。前記端部中空部５，５’を、それぞれ前記ヒンジ部６，６’を支点として矢印Ｇ方向（前記表壁側）にほぼ１８０度回転させ、前記中央中空部４に対して前記表壁同士を重ね合わせることで前記端部中空部５，５’、前記中央中空部４ともに前記表皮２によって外表面がほぼ覆われる上、すべての外表面が凹凸無く形成される。
【００２４】
以上実施例に述べたように本発明によれば、折りたたんだ状態でほぼ全外表面が表皮に覆われ、また外表面に凹凸が無く強度のあるラゲッジフロアを形成できるという利点がある。
【００２５】
また、上記実施例では、ラゲッジフロアに２つのヒンジ部がある場合を説明したが、１つ以上のヒンジ部があり、１つ以上の端部中空部があれば、同等の効果がある。
【００２６】
なお、上記実施例では、表皮を外方向に向けて起毛状態の毛羽を有する不織布であると説明したが、ガラスマット等、毛羽を有していない不織布でもよい。
【００２７】
また、表皮の端部処理方法には、木目込み工法を適用しても良い。
木目込み工法とは表皮の端縁をラゲッジフロア等の表面の周溝にはめ込んで隠す手法であって特許文献２に開示されるように公知である。
また、凹状リブは円形に限るものではない。
凹状リブはインナーリブのようなスライド機構を要しないので金型を安価に製造できるし、キャビティー面にスライド部分がないので成形時にラゲッジフロアへの全表皮の貼付を容易に成形同時貼りできるという利点もある。
【産業上の利用可能性】
【００２８】
本発明は、ラゲッジフロアのみならず、ブロー成形によって形成される熱可塑性樹脂成形体に広く利用可能である。
【符号の説明】
【００２９】
１        パネル
２        表皮
３        ラゲッジフロア
４        中央中空部
５，５’  端部中空部
６，６’  ヒンジ部
７        凹状リブ
８        押し出しヘッド
９        パリソン
１０      分割金型
１１      キャビティ面
Ａ，Ｄ，Ｄ’      表壁
Ｂ，Ｅ，Ｅ’      裏壁
Ｃ，Ｆ，Ｆ’      端壁
Ｇ        （回転方向を示す）矢印
【図１】
2015174371.tif 000003
【図２】
2015174371.tif 000004
【図３】
2015174371.tif 000005
【図４】
2015174371.tif 000006
【図５】
2015174371.tif 000007